(57)【要約】【課題】  本発明は、型枠に使い古しの杉板型枠の木目を残した板枠材を使用し杉板の木目をコンクリート面に転写させたＲＣ造の壁面を模したセメント成形板を用いた壁構造であって、型枠の木目を壁表面に残した壁面の外観を呈する、セメント成形板を用いた壁構造を提供することを目的とする。【解決手段】  硬化前のセメント成形板に木目模様のローラーを押しつけ、木目調の凹凸模様を表面に付与したセメント成形板あるいはセメント成形板表面に、無色またはセメント色の塗料を塗布し、木目調の凹凸模様を表面に付与したセメント成形板、さらにセパレーター痕を設けたセメント成形板を用いた打ち放し鉄筋コンクリート造外観を模したセメント成形板を用いた壁構造。【選択図】    図１
0003107591.tif 000002
【実用新案登録請求の範囲】
【請求項１】
成形板の表面に木目調の凹凸加工を付与し、 打ち放し鉄筋コンクリート造外観を模したセメント成形板を用いた壁構造。
【請求項２】
セメント成形板が、硬化前のセメント成形板に木目模様のローラーを押しつけ、木目調の凹凸模様を表面に付与したものである請求項１に記載の壁構造。
【請求項３】
セメント成形板が、セメント成形板表面に、無色またはセメント色の塗料を塗布し、木目調の凹凸模様を表面に付与したセメント成形板である請求項１に記載の壁構造。
【請求項４】
表面に木目調の凹凸模様を付与したセメント成形板に、さらにセパレーター痕を設けたセメント成形板を用いたことを特徴とする請求項１〜３のいずれか１項に記載の壁構造。
【考案の詳細な説明】
【技術分野】
【０００１】
本考案は、建物の内外面あるいは間仕切り面などに用いられるセメント成形板表面に木目調の凹凸模様を付与して、組み立て容易なセメント成形板を用いていながら、建物を打ち放し鉄筋コンクリート造（以下鉄筋コンクリートを「ＲＣ造」という。）の外観に見えるように構築した壁構造に関する。
【背景技術】
【０００２】
鉄筋コンクリートによって造られた建物は、型枠を組んでコンクリート打設した後、型枠を取り外し表面仕上げされる。かつては、型枠材として年輪の部分を凸部として残し、他の部分は凹部となった木目調の模様を有した杉板を用いたため、係る杉板型枠を用いたコンクリート面は木目調の面（逆転しているが）を呈している。
このような木目あるいはその逆転面を呈するコンクリート打ち放し面の有する素質感は、設計者にとってコンクリートの仕上げ面と異なる魅力に満ちたもので、このように素朴で野性的な打ち放しコンクリートの外観を好む人は多い。なお現在使用されている型枠材は合板が主であって、この場合には打ち放しコンクリート面に木目調の面は呈することはない。
【０００３】
ＲＣ造以外の建物に、打ち放しＲＣ造を模した外観を持たせることも行われている。例えば、型枠材に合板などを用いた平滑なコンクリート面に類似させた意匠を付与したセメント成形板をそのまま、またはセメント系押出成形板の表面をブラスト研磨し、研削面に透明樹脂の塗料を塗布した建築用セメント系押出建築用材（例えば、文献１参照）、または建築用窯業系押出成形板の表面に打ち放しコンクリート模様を付けること、あるいはコンクリート打ち放しを強調するため、コンクリート型枠のモク痕孔を付したセメント成形板を用いた壁構造（例えば特許文献２参照）等、打ち放しＲＣ造を模した表面の建築材が提案されている。
また窯業系のサイディング材では、表面を木目に見せるために塗料などで着色したものもあるがこれは木材面を模したものであり、打ち放しＲＣ造を目的としたものではなかった。このように、杉板等の木目のある木材を型枠として用いたときの打ち放しＲＣ造表面を有した成形板を目的とするものはなかった。
【０００４】
【特許文献１】特開昭６１−２９１４７８号公報
【特許文献２】実公平７−５２８５０号公報
【考案の開示】
【考案が解決しようとする課題】
【０００５】
コンクリート打ち放しの特殊な工法として、型枠に使い古しの杉板型枠の木目を残した板枠材などを使用し、杉板の木目をＲＣ造のコンクリート面に転写させるものであり、この方法は比較的高級な意匠として設計者に採用されているが、セメント成形板などを用いた外装で代替した壁構造の実例はない。
本発明は、ＲＣ造において型枠に杉板を使用し、その型枠の木目を壁表面に残した壁面の外観を呈することができる、セメント成形板を用いた壁構造を提供することを目的とする。
【課題を解決するための手段】
【０００６】
本考案は、
［１］  成形板の表面に木目調の凹凸加工を付与し、 打ち放し鉄筋コンクリート造外観を模したセメント成形板を用いた壁構造、
［２］  セメント成形板が、硬化前のセメント成形板に木目模様のローラーを押しつけ、木目調の凹凸模様を表面に付与したものである上記［１］に記載の壁構造、
［３］ セメント成形板が、セメント成形板表面に、無色またはセメント色の塗料を塗布し、木目調の凹凸模様を表面に付与したセメント成形板である上記［１］に記載の壁構造、及び
［４］  表面に木目調の凹凸模様を付与したセメント成形板に、さらにセパレーター痕を設けたセメント成形板を用いたことを特徴とする上記［１］〜［３］のいずれかに記載の壁構造、を開発することにより上記の課題を解決した。
【考案の効果】
【０００７】
本考案に係る壁構造は、その壁面に型枠として使い古しの杉板型枠を用いたときの模様を付した建築用セメント成形板を用いた壁構造ではあり、実際のＲＣ造の壁構造に比して、遙かに安価で、簡単、短時間に組み立てることが出来る壁構造である。
なお塗料（透明又はセメント色塗料であって表面がＲＣ造を模したもの）を塗布してセメント成形板に木目調の模様を付した場合には、該塗料を塗布することによりコンクリート打ち放しのイメージを持ちながら、吸水性を減少させ、耐久性に富み、メインテナンスが容易な建築材及び壁構造を得ることができる。
【考案を実施するための最良の形態】
【０００８】
本考案における建築用セメント成形板は、建物の外装に用いられるものであり、一般に押出または抄造等の方法で成形され、オートクレーブ養生して製造される。押出成形セメント板には中実板と中空構造板の二種類があるが、本考案の対象とする成形板としてはどちらを使用しても良い。
【０００９】
セメント成形板の表面に凹凸模様を付けるには、一般にプレス盤を用いる押しつけ加工または研削等の機械加工による賦形方法がとられるが、本考案の木目調では、押出成形セメント板に対しては、押出し口金の下流に木目模様のローラーを配し押し付け賦形することで凹凸模様を得ることができる。ここで用いるローラーの材質は、木目の微妙な凹凸模様を賦形することが出来るゴムローラー等が適する。
【００１０】
また、打ち放しＲＣ造の表面を模するため無色の塗料またはセメント色に調整した塗料を塗布し、塗料の完全硬化前に適当な道具で表面を加工することにより、木目調の凹凸面が得られる。塗料を用いて木目模様を描くことが出来る特殊な道具としては、例えば市販されている半円形溝付ラバー［（株）セトコ製］がある。
【００１１】
塗料は各種の物を使用することが出来るが、適正な乾燥硬化速度を有するものが適しており、アクリルウレタン系統の塗料を用いるのが好ましい。この場合セメント成形板に無色のアクリルウレタン系塗料を塗布し、一旦乾燥した後再度アクリルウレタン系塗料にセメント色の顔料を調合した上で塗布し、塗料が硬化する前に半円形溝付ラバーをスライドさせて木目模様を描き乾燥させる。
【００１２】
セパレーター痕については直径１５〜３０ｍｍの専用ドリルにより０．５〜３ｍｍの表面側からの円筒状孔の機械加工を硬化後のセメント成形板に施し実現させた。プレス加工などにより、セメント成形板の硬化前に賦形することも可能であるが、現実のＲＣ壁のセパレータ痕は形状がシャープであるのでそれを模すためには機械加工の方が好ましい。また実際のセパレーター痕は、型枠を取り外した後モルタルが詰められ、コンクリ−ト面より暗い色調を呈していることから、機械加工などによる穿ったセパレーター痕をダークグレー等に着色しても良い。
【００１３】
塗料を用いて木目凹凸模様を付与する場合、木目模様を描いたあとでドリルを用いてセパレーター痕を形成するか、またはセパレーター痕を穿った後に木目模様を描く。
この様にして製造したセメント成型板を建物の下地に専用金具もしくはビスを用いて止め、壁面を構築する。下地材は一般には鉄骨または木であり、これら下地材に該セメント成形板を横張りもしくは縦張りで止める。この様にすれば型枠の木目が転写された高級感のあるコンクリート打ち放しＲＣ造類似の意匠を付与した壁構造を容易に構築することが出来る。
【産業上の利用可能性】
【００１４】
本発明の壁構造は、型枠材として杉板等の木材を使用したＲＣ造の表面と同様な凹凸の模様の表面を有するセメント成形板を用いた壁構造であるため、木目が転写した高級感のある打ち放しＲＣ造類似の意匠を付与した壁構造を、簡単に、安価に、且つ容易に構築することが出来るため、素朴で野性的な外観を有する建築材として広く利用することができる。
【図面の簡単な説明】
【００１５】
【図１】本考案の、木目調の凹凸模様を付与した建築用セメント成形板を使用した壁構造の表面の１例。
【図１】
0003107591.tif 000003